(57)【要約】【課題】緩衝装置の構成を著しく簡単化することができるベルト緊張装置を提供する。【解決手段】トーションばね装置と緩衝装置２１とを備えたベルト緊張装置１１であって、長手方向軸線Ａを備えたハウジング１２と、該長手方向軸線に対して同軸的にハウジング内に位置していて一方の端部で回動不能にハウジング内に固定されているトーションばね１４と、ハウジングに対して長手方向軸線を中心にして旋回するように回転可能に支承されていてトーションばね１４の他方の端部に回動不能に結合されている緊張アーム１５と、該緊張アームの自由端部に前記長手方向軸線に対して平行な回転軸線Ｂを中心にして回転可能に支承された緊張ローラ１６とが設けられている形式のものにおいて、緩衝装置２１がハウジング１２を長手方向軸線Ａに対して同軸的に取り囲んでいて、円筒形の摩擦面対３６,３７を有している。【選択図】図１
2007003007.tif 000002
【特許請求の範囲】
【請求項１】
トーションばね装置と緩衝装置（２１）とを備えたベルト緊張装置（１１）であって、長手方向軸線（Ａ）を備えたハウジング（１２）と、該長手方向軸線（Ａ）に対して同軸的にハウジング（１２）内に位置していて一方の端部で回動不能にハウジング（１２）内に固定されているトーションばね（１４）と、ハウジング（１２）に対して長手方向軸線（Ａ）を中心にして旋回するように回転可能に支承されていてトーションばね（１４）の他方の端部に回動不能に結合されている緊張アーム（１５）と、該緊張アーム（１５）の自由端部に前記長手方向軸線（Ａ）に対して平行な回転軸線（Ｂ）を中心にして回転可能に支承された緊張ローラ（１６）とが設けられている形式のものにおいて、
緩衝装置（２１）がハウジング（１２）を長手方向軸線（Ａ）に対して同軸的に取り囲んでいて、円筒形の摩擦面対（３６,３７）を有していることを特徴とするベルト緊張装置。
【発明の詳細な説明】
【技術分野】
【０００１】
本発明は、トーションばね装置と緩衝装置とを備えたベルト緊張装置であって、長手方向軸線を備えたハウジングと、該長手方向軸線に対して同軸的にハウジング内に位置していて一方の端部で回動不能にハウジング内に固定されているトーションばねと、ハウジングに対して長手方向軸線を中心にして旋回するように回転可能に支承されていてトーションばねの他方の端部に回動不能に結合されている緊張アームと、該緊張アームの自由端部に前記長手方向軸線に対して平行な回転軸線を中心にして回転可能に支承された緊張ローラとが設けられている形式のものに関する。
【背景技術】
【０００２】
このようなベルト緊張装置はベルト駆動装置と一緒に使用され、ベルト駆動装置は少なくとも２つのベルト車と、これらのベルト車に巻き掛けられて循環する無端のベルトとを有しており、ベルト車のうちの１つは駆動車であり、ベルト緊張装置の緊張ローラは無端ベルトの戻り側区分（Leertrum）に作用し、これによってベルトの長さ変化が調整され、振れ現象が回避され、弛みによるベルト車からのベルトの飛び外れが防止される。ベルトとしては今日汎用の歯付きベルトやＶベルトを使用することができる。ベルト車や緊張ローラをスプロケットと交換すれば、ベルト緊張装置はチェーン駆動装置においても用いることができる。
【０００３】
ベルト駆動装置の典型的な使用例としては、内燃機関の二次ユニットの駆動装置を挙げることができ、この場合第１のベルト車はクランク軸に位置していて、駆動車として働き、他のベルト車は、ウォータポンプ、オルタネータ、空調装置、コンプレッサ等のような二次ユニットの軸に位置していて、ベルト駆動装置によって駆動される。この場合循環方向で見て駆動ベルト車の後ろには、ルーズ側区分（Lostrum）が発生し、このルーズ側区分の弛みは、ベルト車からのベルトの跳ね外れを防止するために、緊張ローラによって補償もしくは調整されねばならない。運転時間の経過中及び温度の影響下で、ベルト長さは変化するので、緊張アームの緊張ローラは予負荷されたばねの作用下でルーズ側区分に作用することが必要である。緊張アーム及びベルトの運動が振動を生ぜしめないようにするために、緊張アームのこのような運動のために緩衝装置が設けられている。この場合緊張アームの回転軸線もしくは揺動軸線は、ベルト車及び緊張ローラの回転軸線に対して平行に位置している。
【０００４】
ヨーロッパ特許公開第１４３７５２８号明細書に基づいて公知の上記形式のベルト緊張装置では、緩衝装置は、緊張アームに結合されたスリーブとハウジング管の内部との間において共働するようになっている。このような構成では緩衝装置の作用直径は、可能な限り小さく保つことが望まれているハウジング直径によって制限されることになる。そしてその結果緩衝装置は不都合に長くなってしまう。
【０００５】
ヨーロッパ特許公開第１４２０１９２号明細書に基づいて公知の上記形式のベルト緊張装置では、緩衝を目的としてトーションばねがハウジングに対して、内部に位置するゴム弾性的な回転スラストばね（Drehschubfeder）を用いて結合されていて、さらに、予負荷されたスプリングワッシャで半径方向の摩擦力に対して作用する半径方向の摩擦円板が付加的に設けられている。このような緩衝装置の総コストは極めて高く、回転スラストばねの取付けは困難である。
【特許文献１】ヨーロッパ特許公開第１４３７５２８号明細書
【特許文献２】ヨーロッパ特許公開第１４２０１９２号明細書
【発明の開示】
【発明が解決しようとする課題】
【０００６】
ゆえに本発明の課題は、冒頭に述べた形式のベルト緊張装置を改良して、緩衝装置の構成を著しく簡単化することである。
【課題を解決するための手段】
【０００７】
この課題を解決するために本発明の構成では、冒頭に述べた形式のベルト緊張装置において、緩衝装置がハウジングを長手方向軸線に対して同軸的に取り囲んでいて、半径方向において負荷された円筒形の摩擦面対を有しているようにした。
【発明の効果】
【０００８】
このように構成された本発明の緩衝装置は、単純な構造を有する数少ない部材を有していて、特に簡単に組立て及び取付けが可能であり、そして機能適正な取付けを簡単にコントロールすることができる。それというのは主要な機能部材は外から見ることができるからである。
【０００９】
本発明の別の構成では、緩衝装置が、周囲にスリットを備えた摩擦スリーブを有しており、該摩擦スリーブの内側の円筒面がハウジングの外側の円筒面に接触していて、摩擦スリーブがハウジングに対する緊張アームの相対運動時にハウジングの外側の円筒面に沿って滑るようになっている。
【００１０】
本発明の別の構成では、摩擦スリーブが形状結合式に回転方向において緊張アームに保持されていて、スリットを備えたばねスリーブによって半径方向の予負荷をもって取り囲まれており、摩擦スリーブの形状結合手段がばねスリーブのスリットを貫いて係合している。
【００１１】
本発明の別の構成では、摩擦スリーブが外側の形状突出部、特にリブを用いて、緊張アームの軸受アイに形状結合式に保持されている。
【００１２】
本発明の別の構成では、摩擦スリーブがスリットを備えたばねスリーブによって半径方向の予負荷をもって取り囲まれていて、ばねスリーブが形状結合式に回転方向において緊張アームに保持されている。
【００１３】
本発明の別の構成では、ばねスリーブが、外側に向かって曲げられたブラケットを有していて、該ブラケットが緊張アームに設けられたポケットにおいて固定されている。
【００１４】
本発明の別の構成では、ブラケットとポケットとの間に弾性的な緩衝手段が挿入されている。
【００１５】
本発明の別の構成では、摩擦スリーブとばねスリーブとが周方向において形状結合式に、特にピンと孔とから成る係合コンビネーションを介して、互いに結合されている。
【００１６】
本発明の別の構成では、緩衝装置が緊張ローラと半径方向において重なって配置されている。
【００１７】
本発明の別の構成では、緊張アームの軸受アイに接続して、固定フランジがハウジングに不動に、特に長手方向軸線に対して半径方向に方向付けられたリングフランジとして、配置されている。
【００１８】
本発明の別の構成では、固定フランジがねじ結合フランジとして形成されている。
【００１９】
本発明の別の構成では、緩衝装置が、スリットを備えた摩擦スリーブを有しており、該摩擦スリーブの内側の円筒面が、緊張アームに結合された軸受アイの外側の円筒面に接触していて、摩擦スリーブがハウジングに対する緊張アームの相対運動時に軸受アイの外側の円筒面に沿って滑るようになっている。
【００２０】
摩擦スリーブが、スリットを備えたばねスリーブによって半径方向の予負荷をもって取り囲まれている。
【００２１】
本発明の別の構成では、摩擦スリーブとばねスリーブとが周方向において形状結合式に、特にピンと孔とから成る係合コンビネーションを介して、互いに結合されている。
【００２２】
本発明の別の構成では、ばねスリーブが、ハウジングに結合可能な部材における回動不能な固定のために、ブラケットを有している。
【００２３】
本発明の別の構成では、緩衝装置が緊張ローラに対して軸方向でずらされて位置している。
【００２４】
本発明の別の構成では、緊張アームの軸受アイに軸方向で接続して、固定フランジがハウジングに不動に配置されている。
【００２５】
本発明の別の構成では、固定フランジが、回動防止手段を備えた接触兼支持フランジとして形成されていて、ハウジングの自由端部にねじ結合可能な支持スリーブと共働するようになっている。
【００２６】
第１の有利な実施形態では、緩衝装置が、周囲にスリットを備えた摩擦スリーブを有しており、該摩擦スリーブの内側の円筒面がハウジングの外側の円筒面に接触していて、摩擦スリーブがハウジングに対する緊張アームの相対運動時にハウジングの外側の円筒面に沿って滑るようになっている。この場合外側の円筒面は、例えば深絞り加工された管として形成されていてもよいハウジングの本来の外側面であってよく、このようにすると、円筒面を特別に加工する必要がなくなる。適宜なプラスチックから成る緩衝スリーブは、単純かつ安価な部材である。
【００２７】
本発明のさらに別の構成では、摩擦スリーブが外側の形状突出部、特にリブを用いて、緊張アームの軸受アイに形状結合式に保持されており、摩擦スリーブがスリットを備えたばねスリーブによって半径方向の予負荷をもって取り囲まれており、しかも摩擦スリーブの外側の形状突出部がばねスリーブのスリットを貫いて係合している。このようにこうせいされていると、摩擦スリーブ及びばねスリーブを緊張アームに対して固定するために、付加的な固定手段が不要になる。緩衝の程度つまり緩衝率は、ばねスリーブの交換によって使用例に応じて簡単に変化可能である。ばねスリーブもしくはＣ字形に曲げられた板ばねは安価に製造可能である。
【００２８】
摩擦スリーブとばねスリーブとは周方向において形状結合式に互いに係合させることができ、これによって摩擦スリーブとばねスリーブとの間における相対的な回転運動は不可能になる。例えば摩擦スリーブにおける半径方向のピン又は突出部が、ばねスリーブにおける孔に係合しているような構成が可能である。
【００２９】
軸受アイがハウジングを、間隔をおいて取り囲むことができるのに対して、軸受アイに挿入された栓体を介して緊張アームを直接的に支承することが可能であり、この場合栓体はハウジング内において、場合によっては付加的な滑り軸受ブシュを使用して、回転可能に支承されている。
【００３０】
本発明の別の有利な構成では、緩衝装置が緊張ローラと半径方向において重なって配置されている。このように構成されていると、装置全体の構造長さを特別に短くすることができる。
【００３１】
本発明の別の構成では、緊張アームの軸受アイに接続して、固定フランジがハウジングに不動に配置されており、この固定フランジはねじ結合フランジとして働くことができ、ひいてはユニットに対する相応なねじ結合手段の他のただ１つの固定手段として必要である。
【００３２】
第２の有利な実施形態では、緩衝装置が、スリットを備えた摩擦スリーブを有しており、該摩擦スリーブの内側の円筒面が、緊張アームに結合された軸受アイの外側の円筒面に接触していて、摩擦スリーブがハウジングに対する緊張アームの相対運動時に軸受アイの外側の円筒面に沿って滑るようになっている。このように構成されていると、緩衝装置をさらに大きな直径において配置することができる。また軸受アイは緊張アームに対して曲げられて形成されていてもよい。有利な構成では、摩擦スリーブが、スリットを備えたばねスリーブによって半径方向の予負荷をもって取り囲まれており、摩擦スリーブとばねスリーブとが周方向において形状結合式に、互いに結合されている。またばねスリーブが、ハウジングに結合可能な部材における回動不能な固定のために、半径方向に曲げられたブラケットを有していると、有利である。このように構成されていると、摩擦装置は前記スリーブに位置しているので、１つの部材、すなわちハウジングが最終的に不動に結合される部材、つまりユニット又はこのユニットのためのユニット保持体に対して、回転方向において摩擦装置を固定することが必要である。そしてこのユニットは、ベルト緊張装置が設けられているベルト駆動装置内に取り囲まれている。
【００３３】
前記構成において、緩衝装置が緊張アームに対して軸方向でずらされている構成が可能である。
【００３４】
この場合また有利には、緊張アームのスリーブに接続して、固定フランジが設けられており、この固定フランジは特に支持フランジとして形成されていて、ハウジングの端部に載着可能で軸方向において引締め可能な緊張スリーブと共働することができる。
【００３５】
トーションばねはすべての実施形態において有利には、複数のばね棒から成る束として形成されており、その端部は形状結合式に、一方ではハウジングと他方では緊張アームと直接又は間接的に結合されているスリーブに挿入されている。
【発明を実施するための最良の形態】
【００３６】
次に図面を参照しながら本発明の有利な実施形態を説明する。
【００３７】
まず初めに図１〜図３を一緒に参照しながら説明する。本発明によるベルト緊張装置１１は、長手方向軸線Ａを備えた管状のハウジング１２を有しており、このハウジング１２には外側に固定フランジ１３が取り付けられていて、ハウジング１２内にはトーションばね１４が挿入されている。ベルト緊張装置１１はさらに、長手方向軸線Ａを中心にして旋回する緊張アーム１５と、この緊張アーム１５の自由端部に位置していて長手方向軸線Ａに対して平行に位置する回転軸線Ｂを中心にして回転可能な緊張ローラ１６とを有している。緊張アーム１５は軸受アイ１７を有していて、この軸受アイ１７には栓体１８が挿入されている。栓体１８はスリーブ付加部１９を有しており、このスリーブ付加部１９はハウジング１２内に係合していて、滑り軸受ブシュ２０を介してハウジング１２内において回転可能に支承されている。トーションばね１４は、ハウジング１２内に不動に挿入された栓体３０を介して、ハウジング１２の一方の端部に回動不能に該ハウジング１２と結合されており、これに対してトーションばね１４の他方の端部は栓体１８と、ひいては緊張アーム１５と回動不能に結合されている。ハウジング１２には軸受アイ１７の内部に、周囲にスリットを備えた緩衝スリーブもしくは摩擦スリーブ２１が被せ嵌められており、この摩擦スリーブ２１は外側リブ２２で、軸受アイ１７における２つのリブホルダもしくはリブストッパ２３,２４の間において回動不能に保持されている。摩擦スリーブ２１は、同様に周囲にスリットを有するばねスリーブ２５によって取り囲まれており、このばねスリーブ２５は摩擦スリーブ２１に対して半径方向で予負荷されていて、ひいてはスリットを備えた摩擦スリーブ２１を、内方に向かって作用する半径方向の予負荷によって円筒形のハウジング１２に対して固定している。ばねスリーブ２５は摩擦スリーブ２１に対して周方向において形状結合式（formschluessig）に固定され、特に、ばねスリーブ２５における相応な孔２７に係合する半径方向突子２６によって、固定されている。固定フランジ１３にはストッパピン２８が設けられており、このストッパピン２８は、緊張アーム１５における周方向に延びる長孔２９に係合していて、これにより、固定フランジ１３ひいてはハウジング１２に対する緊張アーム１５の相対的な旋回運動を制限している。固定フランジ１３にはさらに、ユニットにねじを用いて固定フランジ１３をねじ固定するための複数の固定孔３１のうちの１つが示されている。緊張アーム１５の外端部にはスリーブ付加部３２が設けられ、このスリーブ付加部３２には緊張ローラ１６が溝付玉軸受３３を用いて支承されており、この場合溝付玉軸受３３はねじ３４を用いてスリーブ付加部３２に固定されている。溝付玉軸受３３をシールするためにカバー３５が緊張ローラ１６に挿入されている。緊張アーム１５に設けられた孔４４には、固定ピン４５が挿入されており、この固定ピン４５は固定フランジ１３における合同の孔を貫通し、緊張アーム１５を、固定フランジ１３に対して強く予負荷された位置において取り付けるために保持している。
【００３８】
上に述べた構造に基づいてベルト緊張装置の下記の機能が得られる。フランジ１３によって固定可能なハウジング１２に対して、緊張アーム１５はスリーブ１９と共に長手方向軸線Ａを中心にして旋回可能である。旋回運動時に、一方では栓体３０ひいてはハウジング１２内に固定されていて他方ではスリーブ１９ひいては緊張アーム１５に固定されているトーションばね１４は、弾性的な戻し力に抗して捩られる。この場合取付け状態において既に、トーションばね１４を予め強く予負荷されて捩られた位置に保持することも可能である。ハウジング１２に対する緊張アーム１５の各旋回運動時に、板ばね（Bandfeder）２５によって半径方向内側に向かって予負荷されている摩擦スリーブ２１は、摩擦面対３６,３７においてハウジング１２に対して摩擦を生ぜしめ、その結果緊張アーム１５の旋回運動は緩衝される。図２及び図３から分かるように、栓体１８及び固定孔３０はそれぞれ多角形の内輪郭を有しており、この内輪郭の中にトーションばね１４は形状結合式に受容されている。トーションばね１４はこの場合図示されていないが、互いに平行な複数のばね棒から成る束によって構成されていてもよい。
【００３９】
次に図４〜図６については以下において一緒に述べる。本発明によるベルト緊張装置１１は主として、長手方向軸線Ａを備えた管状のハウジング１２を有しており、このハウジング１２には外側に固定フランジ１３が取り付けられていて、ハウジング１２内にはトーションばね１４が挿入されている。ベルト緊張装置１１はさらに、長手方向軸線Ａを中心にして旋回する緊張アーム１５と、この緊張アーム１５の自由端部に位置していて長手方向軸線Ａに対して平行に位置する回転軸線を中心にして回転可能な緊張ローラとを有している。図４及び図５において緊張アーム１５は途中までしか示されていないが、この実施例においても緊張アーム１５は図１に示された緊張アーム１５と同様に形成されていることができる。緊張アーム１５は軸受アイ１７を有していて、この軸受アイ１７には栓体１８が挿入されている。軸受アイ１７は滑り軸受ブシュ２０を介して直接ハウジング１２に回転可能に支承されている。栓体１８はスリーブ付加部１９を有しており、このスリーブ付加部１９はハウジング１２内に係合していて、滑り軸受ブシュ２０を介してハウジング１２内において回転可能に支承されている。トーションばね１４は、ハウジング１２内に不動に挿入された栓体３０を介して、ハウジング１２の一方の端部に回動不能に該ハウジング１２と結合されており、これに対してトーションばね１４の他方の端部は栓体１８と、ひいては緊張アーム１５と回動不能に結合されている。ハウジング１２には軸受アイ１７の内部に、周囲にスリットを備えた緩衝スリーブもしくは摩擦スリーブ２１が被せ嵌められている。摩擦スリーブ２１は、同様に周囲にスリットを有するばねスリーブ２５によって取り囲まれており、このばねスリーブ２５は摩擦スリーブ２１に対して半径方向で予負荷されていて、ひいてはスリットを備えた摩擦スリーブ２１を、半径方向内側に向かって作用する予負荷によって円筒形のハウジング１２にしっかりと保持している。ばねスリーブ２５は緊張アーム１５に対して、半径方向外側に曲げられたブラケット４２を用いて周方向において形状結合式に固定されており、この曲げられたブラケット４２は、緊張アーム１５におけるポケット４６に係合しており、ブラケット４２とポケット４６との間にはゴム弾性的な緩衝エレメント４３が挿入されている。緩衝スリーブ２１はばねスリーブ２５内に回動不能に保持され、特に、ばねスリーブ２５における相応な孔２７に係合する半径方向突子２６によって、保持されている。固定フランジ１３には、ユニットにねじを用いて固定フランジ１３をねじ固定するための複数の固定孔３１のうちの１つが示されている。固定フランジにはさらに、取付けのために固定ピンを受容するための孔４４が示されており、この固定ピンの働きは第１実施例において既に述べたのと同様である。
【００４０】
上に述べた構造に基づいてベルト緊張装置の下記の機能が得られる。フランジ１３によって固定可能なハウジング１２に対して、緊張アーム１５はスリーブ１９と共に長手方向軸線Ａを中心にして旋回可能である。旋回運動時に、一方では栓体３０ひいてはハウジング１２内に固定されていて他方ではスリーブ１９ひいては緊張アーム１５に固定されているトーションばね１４は、弾性的な戻し力に抗して捩られる。この場合取付け状態において既に、トーションばね１４を予め強く予負荷されて捩られた位置に保持することも可能である。ハウジング１２に対する緊張アーム１５の各旋回運動時に、板ばね２５によって半径方向内側に向かって予負荷されている摩擦スリーブ２１は、摩擦面対３６,３７においてハウジング１２に対して摩擦を生ぜしめ、その結果緊張アーム１５の旋回運動は緩衝される。
【００４１】
次に図７〜図９については以下において一緒に述べる。本発明によるベルト緊張装置１１は主として、長手方向軸線Ａを備えた管状のハウジング１２を有しており、このハウジング１２には外側に固定フランジ１３′が取り付けられていて、ハウジング１２内にはトーションばね１４が挿入されている。ベルト緊張装置１１はさらに、長手方向軸線Ａを中心にして旋回する緊張アーム１５と、この緊張アーム１５の自由端部に位置していて長手方向軸線Ａに対して平行に位置する回転軸線Ｂを中心にして回転可能な緊張ローラ１６とを有している。緊張アーム１５は軸受アイ１７を有していて、この軸受アイ１７には栓体１８が挿入されている。軸受アイ１７は滑り軸受ブシュ２０を介して直接ハウジング１２に回転可能に支承されている。栓体１８はスリーブ付加部１９を有しており、このスリーブ付加部１９はハウジング１２内に係合していて、シールスリーブ３８を介してハウジング１２に対してシールされている。トーションばね１４は、ハウジング１２内に不動に挿入された栓体３０を介して、ハウジング１２の一方の端部に回動不能に該ハウジング１２と結合されており、これに対してトーションばね１４の他方の端部は栓体１８のスリーブ付加部１９と、ひいては緊張アーム１５と回動不能に結合されている。軸受アイ１７には、周囲にスリットを備えた緩衝スリーブもしくは摩擦スリーブ２１′が被せ嵌められている。摩擦スリーブ２１は、同様に周囲にスリットを有するばねスリーブ２５′によって取り囲まれており、このばねスリーブ２５′は摩擦スリーブ２１′に対して半径方向で予負荷されていて、ひいてはスリットを備えた摩擦スリーブ２１を、半径方向内側に向かって作用する予負荷によって軸受アイ１７にしっかりと保持している。ばねスリーブ２５′は、摩擦スリーブ２１′に対して周方向において形状結合式に固定され、特に、板ばね２５′における相応な孔２７に係合する半径方向突子２６によって、固定されている。固定フランジ１３′は支持フランジであり、もっぱらユニット又は固定装置の支持面に対する回動防止手段を有している。ハウジングの自由端部には軸方向緊張スリーブ３９が設けられており、この軸方向緊張スリーブ３９は円板４０とスリーブ２１にねじ込まれたねじ４１とを用いて緊張させられることができ、これによってハウジング１２はユニット又はユニットが挿入されている固定装置内において緊締されることができる。半径方向に折り曲げられたばねスリーブ２５′におけるブラケット４２は、固定ハウジングのポケット４６内に固定されることができ、この場合ブラケット４２とポケット４６との間にはゴム弾性的な緩衝エレメント弾性４３が挿入されている。緊張アーム１５の外端部にはスリーブ付加部３２が設けられ、このスリーブ付加部３２には緊張ローラ１６が溝付玉軸受３３を用いて支承されており、この場合溝付玉軸受３３はねじ３４を用いてスリーブ付加部３２に固定されている。溝付玉軸受３３をシールするためにカバー３５が緊張ローラ１６に挿入されている。
【００４２】
上に述べた構造に基づいてベルト緊張装置の下記の機能が得られる。フランジ１３及びスリーブ３９によって固定可能なハウジング１２に対して、緊張アーム１５はスリーブ１９と共に長手方向軸線Ａを中心にして旋回可能である。旋回運動時に、一方では栓体３０ひいてはハウジング１２内に固定されていて他方では栓体１８ひいては緊張アーム１５に固定されているトーションばね１４は、弾性的な戻し力に抗して捩られる。この場合取付け状態において既に、トーションばね１４を予め強く予負荷されて捩られた位置に保持することも可能である。ハウジング１２に対する緊張アーム１５の各旋回運動時に、板ばね２５によって半径方向内側に向かって予負荷されている位置固定の摩擦スリーブ２１は、緊張アーム１５と一緒に運動させられる軸受アイ１７に対して摩擦を生ぜしめ、その結果緊張アーム１５の旋回運動は緩衝される。
【図面の簡単な説明】
【００４３】
【図１】本発明によるベルト緊張装置の第１実施例を示す縦断面図である。
【図２】図１に示されたベルト緊張装置を図１のＢ−Ｂ線で断面して示す横断面図である。
【図３】図１に示されたベルト緊張装置を図１のＣ−Ｃ線で断面して示す横断面図である。
【図４】本発明によるベルト緊張装置の第２実施例を示す縦断面図である。
【図５】図４に示されたベルト緊張装置を図１のＢ−Ｂ線で断面して示す横断面図である。
【図６】図４に示されたベルト緊張装置を図４のＣ−Ｃ線で断面して示す横断面図である。
【図７】本発明によるベルト緊張装置の第３実施例を示す縦断面図である。
【図８】図７に示されたベルト緊張装置を示す横断面図である。
【図９】図８に示されたベルト緊張装置を支持装置と共に示す図である。
【符号の説明】
【００４４】
１１  ベルト緊張装置、  １２  ハウジング、  １３  固定フランジ、  １４  トーションばね、  １５  緊張アーム、  １６  緊張ローラ、  １７  軸受アイ、  １８  栓体、  １９  スリーブ、  ２０  滑り軸受ブシュ、  ２１  摩擦スリーブ、  ２２  リブ、  ２３  リブストッパ、  ２４  リブストッパ、  ２５  ばねスリーブ、  ２６  突子、  ２７  孔、  ２８  ピン、  ２９  長孔、  ３０  固定孔、  ３１  スリーブ付加部、  ３２  スリーブ付加部、  ３３  玉軸受、  ３４  ねじ、  ３５  カバー、  ３６  円筒面、  ３７  円筒面、  ３８  シールスリーブ、  ３９  軸方向緊張スリーブ、  ４０  円板、  ４１  ねじ、  ４２  ブラケット、  ４３  緩衝エレメント、  ４４  孔、  ４５  固定ピン、  ４６  ポケット
【図１】
2007003007.tif 000003
【図２】
2007003007.tif 000004
【図３】
2007003007.tif 000005
【図４】
2007003007.tif 000006
【図５】
2007003007.tif 000007
【図６】
2007003007.tif 000008
【図７】
2007003007.tif 000009
【図８】
2007003007.tif 000010
【図９】
2007003007.tif 000011